(57)【要約】深さ等の測定が容易であるとともに、表面側からは認識することができない破断予定線を形成したインビジブルタイプのエアバッグドア部を有する車両用内装部材、その製造方法、および製造装置を提供する。表皮を備えたエアバッグドア部を有する車両用内装部材、その製造方法において、当該表皮の裏面であって、車両エアバッグを配置する相当部分に、深さが表皮の表面まで至らず、表皮を裏面が凸状になるように湾曲させた場合に、実質的にＶ溝状になる破断予定線を形成するとともに、破断予定線の切り口を開いた状態で、当該破断予定線の深さまたは残部の厚さを測定する。また、そのようなエアバッグドア部を有する車両用内装部材の製造装置において、表皮を実質的に平らに載置するための支持台と、表皮に破断予定線を形成するための加工刃と、破断予定線の深さまたは残部の厚さを測定するための測定手段とを備える。
2004045921.tif 000002
【特許請求の範囲】
【請求項１】
成形加工された表皮を備えたエアバッグドア部を有する車両用内装部材において、
当該表皮の裏面であって、車両エアバッグを配置する相当部分に、表皮の表面まで至らない破断予定線を設けるとともに、当該破断予定線が、表皮を裏面が凸状になるように湾曲させた場合に、実質的にＶ溝状になることを特徴とするエアバッグドア部を有する車両用内装部材。
【請求項２】
前記表皮を平坦化した場合には、前記破断予定線を含む表皮の裏面が、実質的に平坦となることを特徴とする請求の範囲１記載のエアバッグドア部を有する車両用内装部材。
【請求項３】
前記破断予定線が、一つ以上の直線およびそれに垂直方向または斜め方向に交わる直線または曲線から構成してあることを特徴とする請求の範囲１または２に記載のエアバッグドア部を有する車両用内装部材。
【請求項４】
前記表皮の厚みをｔ１（ｍｍ）とし、前記破断予定線の深さをｔ２（ｍｍ）としたときに、ｔ１×０．３＜ｔ２＜ｔ１×０．７の関係を満足することを特徴とする請求の範囲１〜３のいずれか一項に記載のエアバッグドア部を有する車両用内装部材。
【請求項５】
前記表皮の裏側に、発泡層と、エアバッグを収容する基材と、を備えていることを特徴とする請求の範囲１〜４のいずれか一項に記載のエアバッグドア部を有する車両用内装部材。
【請求項６】
前記表皮が、熱硬化性樹脂または熱可塑性樹脂を成形材料としたパウダースラッシュ成形品であることを特徴とする請求の範囲１〜５のいずれか一項に記載のエアバッグドア部を有する車両用内装部材。
【請求項７】
成形加工された表皮を備えたエアバッグドア部を有する車両用内装部材の製造方法において、下記工程（Ａ）〜（Ｃ）を順次に含むことを特徴とするエアバッグドア部を有する車両用内装部材の製造方法。
（Ａ）前記表皮を、支持台上に、実質的に平らに載置する工程
（Ｂ）加工刃によって、前記表皮の表面まで至らない深さを有する破断予定線を形成する工程
（Ｃ）前記破断予定線の切り口を開いた状態で、当該破断予定線の深さまたは残部の厚さを測定する工程
【請求項８】
前記表皮を裏面側から吸引して、前記支持台に固定することを特徴とする請求の範囲７に記載のエアバッグドア部を有する車両用内装部材の製造方法。
【請求項９】
前記工程（Ｃ）において、前記支持台に備えられた突起物を所定高さまで上昇させて、前記表皮を下方から押圧することにより、前記破断予定線の切り口を開かせることを特徴とする請求の範囲７または８に記載のエアバッグドア部を有する車両用内装部材の製造方法。
【請求項１０】
前記工程（Ｂ）において、前記加工刃の高さ位置を検知しながら、前記破断予定線を形成することを特徴とする請求の範囲７〜９のいずれか一項に記載のエアバッグドア部を有する車両用内装部材の製造方法。
【請求項１１】
前記工程（Ｂ）の前に、前記加工刃の状態を検査する工程を含むことを特徴とする請求の範囲７〜１０のいずれか一項に記載のエアバッグドア部を有する車両用内装部材の製造方法。
【請求項１２】
前記工程（Ｃ）において、光学式の膜厚測定装置によって、前記破断予定線の深さまたは残部の厚さを測定することを特徴とする請求の範囲７〜１１のいずれか一項に記載のエアバッグドア部を有する車両用内装部材の製造方法。
【請求項１３】
成形加工された表皮を備えたエアバッグドア部を有する車両用内装部材の製造方法において、下記工程（ａ）〜（ｃ）を含むことを特徴とするエアバッグドア部を有する車両用内装部材の製造方法。
（ａ）前記表皮を裏面が凸状になるように部分的または全体的に湾曲させる工程
（ｂ）加工刃によって、前記表皮の表面まで至らない深さを有する破断予定線を形成する工程
（ｃ）前記破断予定線の切り口を開いた状態で、当該破断予定線の深さまたは残部の厚さを測定する工程
【請求項１４】
前記工程（ａ）において、前記表皮を裏面が凸状になるように湾曲させるにあたり、当該表皮を基板上に載置するとともに、当該基板に備えられた突起物を押圧することを特徴とする請求の範囲１３に記載のエアバッグドア部を有する車両用内装部材の製造方法。
【請求項１５】
前記工程（ａ）において、前記突起物を下方から上下動させて押圧することを特徴とする請求の範囲１３または１４に記載のエアバッグドア部を有する車両用内装部材の製造方法。
【請求項１６】
成形加工された表皮を備えたエアバッグドア部を有する車両用内装部材の製造装置において、
前記表皮を実質的に平らに載置するための支持台と、
前記表皮に破断予定線を形成するための加工刃と、
前記破断予定線の深さまたは残部の厚さを測定するための測定手段と、を備えるとともに、
前記破断予定線の切り口を開いた状態で、前記測定手段により、当該破断予定線の深さまたは残部の厚さを測定することを特徴とするエアバッグドア部を有する車両用内装部材の製造装置。
【請求項１７】
前記支持台は、前記表皮を下方から押圧するための突起物を備えるとともに、当該突起物が所定高さまで上昇して、前記表皮を下方から押圧することを特徴とする請求の範囲１６に記載のエアバッグドア部を有する車両用内装部材の製造装置。
【請求項１８】
前記突起物が、一つ以上の直線状物、および当該直線状物に対して、垂直方向または斜め方向に交わる直線状物または曲線状物から構成してあることを特徴とする請求の範囲１６または１７に記載のエアバッグドア部を有する車両用内装部材の製造装置。
【請求項１９】
前記加工刃の高さ位置を検知するための位置検知手段を備えることを特徴とする請求の範囲１６〜１８のいずれか一項に記載のエアバッグドア部を有する車両用内装部材の製造装置。
【請求項２０】
前記加工刃の状態を検知するための状態検知手段を備えることを特徴とする請求の範囲１６〜１９のいずれか一項に記載のエアバッグドア部を有する車両用内装部材の製造装置。
【請求項２１】
前記支持台に、前記表皮を固定するための吸引部を備えることを特徴とする請求の範囲１６〜２０のいずれか一項に記載のエアバッグドア部を有する車両用内装部材の製造装置。
【発明の詳細な説明】
【技術分野】  本発明は、車両エアバッグを搭載したステアリングやインストルメントパネル等に使用されるエアバッグドア部を有する車両用内装部材、その製造方法、および製造装置に関する。特に、破断予定線の深さまたは残部の厚さの測定が容易であるとともに、表面側からは認識することができない破断予定線を形成したインビジブルタイプのエアバッグドア部を有する車両用内装部材（以下、単に車両用内装部材と称する場合がある。）、その製造方法、および製造装置に関する。
【背景技術】  従来、エアバッグを展開させるためのエアバッグドアを一体に設けたステアリングや、インストルメントパネルは、その表面側に、しぼ加工等の立体装飾が施されたエアバッグドア部を有する車両用内装部材を有していた。そして、かかるエアバッグドア部を有する車両用内装部材のエアバッグドアに相当する位置に、エアバッグの展開力によって、エアバッグドアが確実に開くように、薄肉部としての破断予定線（ティアラインや開裂線等と称する場合がある。）を設けておく必要があった。また、エアバッグドア部を有する車両用内装部材における立体装飾を損なわせないために、エアバッグドア部を有する車両用内装部材の裏側に破断予定線を形成し、表面側からは認識することができないインビジブルタイプが望まれていた。
そこで、インビジブルタイプの破断予定線を、表皮の裏側から形成するにあたって、レーザーカッター、高周波カッター、超音波カッター、加熱刃等の加熱切断治具が使われていた。そして、特開２０００−９５０５６号公報には、図２１に示すように、これらの加熱切断治具によって、エアバッグドア部を有する車両用内装部材を熱損傷させやすいために、櫛状の加熱した加工刃を使用することが開示されている。
また、特開閉６−２１８８１１号公報には、図２２に示すように、熱可塑性プラスチックからなるシート状表皮２１１に溝を形成するにあたり、溝形状に対応した形状の押圧部材２４１をシート状表皮２１１に所定力で押付けながら超音波を付与して溶融させる方法が開示されている。
また、インビジブルタイプのエアバッグドア部を有する車両用内装部材の製造方法として、特開２０００−３５１３３５号公報には、図２３に示すように、エアバッグリッド部を有する表皮２６２を裏返してセット可能な薄肉加工用受台２６５と、薄肉加工用受台２６５にセットされた表皮の上方に配置されるガイド体２６７に形成された開裂線加工用ガイド溝２６６に沿って表皮を切削可能な切削工具２７０と、を備えた製造方法が開示されている。
さらに、特開２０００−１５９０４７号公報には、図２４に示すように、エアバッグドアを有する車室側部材のための表皮を真空成形する際、表皮用シート２２１を加熱軟化させて真空成形型２２３に吸引することによって賦形し、真空成形型２２３に吸引保持した状態で表皮用シートのエアバッグドアに対する表皮２２１の開裂予定部２２２の形成位置を加工刃２２７で押圧して、溝状の開裂予定部２２２を形成する製造方法も開示されている。
しかしながら、特開２０００−９５０５６号公報に記載された櫛状の加熱した加工刃を用いた破断予定線の形成にあっては、連続線を形成することができずに、例えば、エアバッグドア部を有する車両用内装部材の厚さ等がばらついた場合に、エアバッグの展開する力によって、エアバッグドア部を有する車両用内装部材の下方に位置するエアバッグドアを確実に開くように構成することが困難であった。また、特開２０００−９５０５６号公報等に記載された櫛状の加熱した加工刃であっても、依然として刃先の熱容量が大きいために、その周辺にまで熱の影響が少なからず及びやすいという問題が見られた。したがって、表皮の厚みが比較的薄い場合には、破断予定線の存在が表面側から判別できることになり、しぼ加工等の立体装飾性が低下しやすいという問題があった。さらに、破断予定線の深さを光学式の膜厚測定装置により測定するためには、比較的大きな面積からなる櫛状の加熱した加工刃を使用しなければならなかった。
また、特開閉６−２１８８１１号公報に記載された溝（破断予定線）の形成にあっては、溶融した熱可塑性プラスチックが、溝の周辺に溜まって、凹凸を生じるという問題が見られた。したがって、表皮の厚みが比較的薄い場合には、破断予定線の存在が表面側から判別できることになり、しぼ加工等の立体装飾性が低下しやすいという問題があった。また、裏面に生じた凹凸のために、下層としての発泡層との間の密着性が低下するという問題も見られた。さらに、溝の深さを光学式の膜厚測定装置により測定するためには、比較的大きな面積からなる押圧部材を使用しなければならず、ますます精度良く、かつインビジブル性（非視認性）に優れたエアバッグドア部を有する車両用内装部材を提供することは困難であった。
また、特開２０００−３５１３３５号公報に記載された開裂線（破断予定線）の形成にあっては、薄肉加工用受台によって、表皮の裏面が凹状になるように湾曲させるため、開裂線を形成した後に表皮を平坦化すると、開裂線を含む表皮の裏面に大きな凹凸が形成されており、発泡層等と均一に形成することが困難であるという問題が見られた。また、開裂線を形成した後に表皮を平坦化すると、開裂線が形成された部分が開かれた状態となるために、表皮の表面側からのインビジブル性（非視認性）に劣るという問題も見られた。
さらに、特開２０００−１５９０４７号公報に記載された開裂予定部（破断予定線）の形成にあっては、真空成形型に吸引保持した状態で、表皮用シートのエアバッグドアに対する表皮の開裂予定部の形成位置を作成するため、表皮用シートの位置がずれることは少ないものの、表皮用シートが加熱軟化しているために、室温に戻した後に、開裂予定部の形成位置を正確に制御することは困難であった。また、開裂予定部を形成した後に表皮を平坦化すると、開裂予定部を含む表皮の裏面に大きな凹凸が形成されており、インビジブル性に劣り、発泡層等と均一に形成することも困難であるという問題が見られた。また、特開２０００−１５９０４７号公報に記載された開裂予定部にあっては、その深さを光学式の膜厚測定装置により測定するためには、比較的幅が大きい溝状の開裂予定部を形成しなければならなかった。
そこで、本発明は、このような問題点に鑑みてなされたものであり、その目的とするところは、車両におけるステアリングや、インストルメントパネル等におけるエアバッグ展開部分を表面側から認識することができず、しかも、破断予定線の深さを光学式の膜厚測定装置によって容易かつ精度良く測定することができるエアバッグドア部を有する車両用内装部材、その製造方法、および製造装置を提供することにある。
【発明の開示】
［１］  本発明によれば、成形加工された表皮を備えたエアバッグドア部を有する車両用内装部材であって、当該表皮の裏面であって、車両エアバッグを配置する相当部分に、表皮の表面までは至らない破断予定線を設けるとともに、当該破断予定線が、表皮を裏面が凸状になるように湾曲させた場合に、実質的にＶ溝状になるエアバッグドア部を有する車両用内装部材が提供される。
このように構成することにより、エアバッグドア部を有する車両用内装部材を裏面が凸状になるように湾曲させた場合にのみ、表皮に形成された破断予定線が実質的にＶ溝状になるため、インビジブル性に優れ、かつ、エアバッグの所望の展開力でもって、容易かつ確実に展開可能なエアバッグドア部を有する車両用内装部材を提供することができる。また、このような破断予定線であれば、裏面が凸状になるように湾曲させた場合には実質的にＶ溝状になるため、光学式の膜厚測定装置、例えば、レーザ方式や赤外線方式の膜厚測定装置によって、破断予定線の深さを容易かつ精度良く測定することができる
また、本発明のエアバッグドア部を有する車両用内装部材を構成するにあたり、表皮を平坦化した場合には、破断予定線を含む表面（表皮の裏面）が、実質的に平坦となることが好ましい。
［２］  また、本発明の別の態様によれば、成形加工された表皮を備えたエアバッグドア部を有する車両用内装部材の製造方法であって、下記工程（Ａ）〜（Ｃ）を順次に含むことを特徴としている。
（Ａ）表皮を、支持台上に、実質的に平らに載置する工程
（Ｂ）加工刃によって、表皮の表面まで至らない深さを有する破断予定線を形成する工程
（Ｃ）破断予定線の切り口を開いた状態で、当該破断予定線の深さまたは残部の厚さを測定する工程
このように実施することにより、車両用内装部材を実質的に平らな状態に保持して、破断予定線を形成するため、深さまたは残部の厚さが全体的に均一である破断予定線を精度良くかつ迅速に形成することができる。したがって、インビジブル性に優れ、かつ、エアバッグの所望の展開力でもって、容易かつ確実に展開可能なエアバッグドア部を有する車両用内装部材を効率的に提供することができる。また、破断予定線の切り口を開いた状態で、破断予定線の深さまたは残部の厚さを測定するため、膜厚測定装置、例えば、レーザ方式や赤外線方式の膜厚測定装置によって、迅速かつ精度良く測定することができる。
また、本発明のエアバッグドア部を有する車両用内装部材の製造方法を実施するにあたり、工程（Ｃ）において、支持台に備えられた突起物を所定高さまで上昇させて、表皮を下方から押圧することにより、破断予定線の切り口を開かせることが好ましい。
［３］  また、本発明のさらに別の態様によれば、成形加工された表皮を備えたエアバッグドア部を有する車両用内装部材の製造方法であって、下記工程（ａ）〜（ｃ）を含むことを特徴としている。
（ａ）表皮を裏面が凸状になるように部分的または全体的に湾曲させる工程
（ｂ）加工刃によって、エアバッグドア部を有する車両用内装部材の表面まで至らない深さの破断予定線を形成する工程
（ｃ）破断予定線の切り口を開いた状態で、当該破断予定線の深さまたは残部の厚さを測定する工程
このように実施することにより、インビジブル性に優れ、かつ、エアバッグの所望の展開力でもって、容易かつ確実に展開可能なエアバッグドア部を有する車両用内装部材を効率的に提供することができる。また、破断予定線の切り口を開いた状態で、破断予定線の深さまたは残部の厚さを測定するため、膜厚測定装置、例えば、レーザ方式や赤外線方式の膜厚測定装置によって、迅速かつ精度良く測定することができる。
［４］  また、本発明のさらに別の態様によれば、成形加工された表皮を備えたエアバッグドア部を有する車両用内装部材の製造装置であって、表皮を実質的に平らに載置するための支持台と、表皮に破断予定線を形成するための加工刃と、破断予定線の深さまたは残部の厚さを測定するための測定手段とを備えるとともに、破断予定線の切り口を開いた状態で、当該測定手段により、破断予定線の深さまたは残部の厚さを測定することを特徴とするエアバッグドア部を有する車両用内装部材の製造装置が提供される。
このように構成することにより、車両用内装部材を実質的に平らな状態に保持して、破断予定線を形成するため、深さまたは残部の厚さが全体的に均一である破断予定線を精度良くかつ迅速に形成することができる。したがって、インビジブル性に優れ、かつ、エアバッグの所望の展開力でもって、容易かつ確実に展開可能なエアバッグドア部を有する車両用内装部材を効率的に提供することができる。また、かかる製造装置によれば、破断予定線の切り口を開いた状態で、破断予定線の深さまたは残部の厚さを測定するため、膜厚測定装置、例えば、レーザ方式や赤外線方式の膜厚測定装置によって、迅速かつ精度良く測定することができる。
また、本発明のエアバッグドア部を有する車両用内装部材の製造装置を構成するにあたり、加工刃の高さ位置を検知するための位置検知手段を備えることが好ましい。
また、本発明のエアバッグドア部を有する車両用内装部材の製造装置を構成するにあたり、加工刃の状態を検知するための状態検知手段を備えることが好ましい。
また、本発明のエアバッグドア部を有する車両用内装部材の製造装置を構成するにあたり、支持台に、表皮を固定するための吸引部を備えることが好ましい。
【図面の簡単な説明】  図１（ａ）および（ｂ）は、第１の実施形態のエアバッグドア部を有する車両用内装部材の断面図である。
図２（ａ）〜（ｃ）は、パウダースラッシュ成形法を説明するために供する図である（その１）。
図３（ａ）〜（ｃ）は、パウダースラッシュ成形法を説明するために供する図である（その２）。
図４は、シート状物の例を示す斜視図である（その１）。
図５は、シート状物の例を示す斜視図である（その２）。
図６（ｂ）は、表皮を平坦化した場合の破断予定線の状態を説明するために供する図であり、図６（ａ）は、破断予定線の切り口を開いた状態を説明するために供する図である。
図７（ａ）は、破断予定線の形状（両端逆矢印状）を説明するために供する図であり、図７（ｂ）は、別の破断予定線の形状（Ｈ文字状）を説明するために供する図であり、図７（ｃ）は、さらに別の破断予定線の形状（両端逆アーク状）を説明するために供する図である。
図８（ａ）〜（ｃ）は、図７（ａ）〜（ｃ）の破断予定線の切り口を開くために使用する突起物を説明するために供する図である（その１）。
図９（ａ）〜（ｆ）は、第２の実施形態のエアバッグドア部を有する車両用内装部材の製造方法を説明するために供する図である。
図１０（ａ）〜（ｆ）は、エアバッグドア部を有する車両用内装部材の別の製造方法を説明するために供する図である。
図１１は、膜厚の測定システムを説明するために供する図である。
図１２は、膜厚の別の測定システムを説明するために供する図である。
図１３（ａ）〜（ｅ）は、第３実施形態のエアバッグドアを有する車両用内装部材の製造方法を説明するために供する図である（その１）。
図１４（ａ）〜（ｄ）は、第３実施形態のエアバッグドアを有する車両用内装部材の製造方法を説明するために供する図である（その２）。
図１５は、第４の実施形態のエアバッグドア部を有する車両用内装部材の製造装置の斜視図である。
図１６（ａ）〜（ｃ）は、図７（ａ）〜（ｃ）の破断予定線の切り口を開くために使用する突起物を説明するために供する図である（その２）。
図１７（ａ）〜（ｆ）は、突起物の形状を説明するために供する図である。
図１８（ａ）〜（ｆ）は、突起物の形状の変形例を説明するために供する図である。
図１９（ａ）〜（ｂ）は、加工刃の状態を検知する方法を説明するために供する図である。
図２０（ａ）〜（ｃ）は、膜厚測定装置により膜厚を測定する際の破断予定線を含む表皮の断面図を示す図である。
図２１は、従来のエアバッグドア部を有する車両用内装部材の製造方法を説明するために供する図である（その１）。
図２２は、従来のエアバッグドア部を有する車両用内装部材の製造方法を説明するために供する図である（その２）。
図２３は、従来のエアバッグドア部を有する車両用内装部材の製造方法を説明するために供する図である（その３）。
図２４は、従来の別のエアバッグドア部を有する車両用内装部材の製造方法を説明するために供する図である（その４）。
【発明を実施するための最良の形態】  以下、図面を適宜参照しつつ、本発明のエアバッグドア部を有する車両用内装部材の製造装置およびそれを用いた製造方法に関する実施形態を具体的に説明する。
［第１の実施形態］
第１の実施形態は、図１（ａ）および（ｂ）に例示するように、成形加工された表皮１１を備えたエアバッグドア部を有する車両用内装部材１０であって、当該表皮１１の裏面Ａであって、車両エアバッグ２１を配置する相当部分１２に、表皮１１の表面Ｂまで至らない深さの破断予定線１７を設けるとともに、当該破断予定線１７が、表皮１１の裏面が凸状になるように湾曲させた場合に、実質的にＶ溝状になることを特徴とするエアバッグドア部を有する車両用内装部材１０である。
なお、以下の説明において、図１に例示するエアバッグドア部を有する車両用内装部材におけるエアバッグを収容する機能を有する基材および発泡層以外の表面シートを、単に表皮と称する場合があり、あるいは、図１に例示するエアバッグドア部を有する車両用内装部材の全体を指して、単に表皮と称する場合がある。
１．エアバッグドア部を有する車両用内装部材
（１）種類
エアバッグドア部を有する車両用内装部材における成形加工された表皮の種類は特に制限されるものではないが、例えば、成形加工されたシート状物や自動車部品等の成形品の外形に沿った立体物であることが好ましい。そして、成形加工された表皮は、装飾加工されていることが好ましく、例えば、表面にしぼ加工やエンボス模様等の表面凹凸を備えたり、模様、文字、記号等が印刷されたり、あるいは、表面研磨して、平滑性を向上させてあることが好ましい。
また、成形加工された表皮は、熱可塑性樹脂または熱硬化性樹脂から構成してあることが好ましいが、その種類についても特に制限されるものでは無い。ただし、エアバッグドア部を有する車両用内装部材の実際の使用環境を考慮した場合、７０℃以上の比較的高い温度であっても優れた機械的強度を保持するとともに、０℃以下の低温状態であっても、優れたしなやかさや手触り性を保持できることから、熱可塑性ウレタンエラストマー、熱可塑性スチレンエラストマー、熱可塑性ナフタレンエラストマー、熱可塑性オレフィンエラストマー等の熱可塑性エラストマーを使用することがより好ましい。
また、熱可塑性樹脂または熱硬化性樹脂の種類に関して、図２（ａ）〜（ｃ）および図３（ａ）〜（ｃ）に示すようなパウダースラッシュ成形により成形可能な樹脂、例えば、上述した熱可塑性エラストマーや、Ｂステージのエポキシ樹脂、さらには塩化ビニル樹脂を使用することも好ましい。
この理由は、成形加工された表皮を作成するにあたり、パウダースラッシュ成形が可能であれば、車両用途の大型であって、かつ複雑な形状の表皮を、容易かつ精度良く形成することができるためである。
なお、パウダースラッシュ成形する際には、使用する樹脂中に、ゼオライトや炭酸カルシウム等の無機物を、例えば、全体量に対して、０．１〜３０重量％の範囲で添加したパウダー樹脂を使用することが好ましい。この理由は、所定量の無機物を添加することにより、パウダー樹脂の分散性が向上するとともに、成形された表皮に対する装飾加工性が著しく向上するためである。
（２）形態
また、エアバッグドア部を有する車両用内装部材における表皮の形態についても特に制限されるものではないが、例えば、図４（ａ）に示すようなインフロントパネル、図４（ｂ）に示すようなドア、図４（ｃ）に示すようなイス、図５（ａ）に示すようなコンソールボックス、図５（ｂ）に示すようなバンパー等の車両部品に用いられる表皮であっても良い。
また、エアバッグドア部を有する車両用内装部材の変形例として、上述した表皮と、金属部品、セラミック部品、ガラス部品、紙部品、木部品等との組み合わせからなる複合構造体であることも好ましい。
（３）厚さ
また、エアバッグドア部を有する車両用内装部材の表皮において、その厚さについても特に制限されるものでは無いが、例えば、０．５〜５ｍｍの範囲内の値とすることが好ましい。
この理由は、かかる表皮の厚さが０．５ｍｍ未満となると、破断予定線の形成が困難になったり、あるいは、インビジブル性が低下したりする場合があるためである。また、かかる表皮の厚さが５ｍｍを超えると、エアバッグの展開力が発生した場合に、エアバッグドアを確実に開くことが困難になる場合があるためである。
したがって、エアバッグドア部を有する車両用内装部材における表皮の厚さを０．７〜３ｍｍの範囲内の値とすることがより好ましく、０．９〜２ｍｍの範囲内の値とすることがさらに好ましい。
（４）積層体
また、エアバッグドア部を有する車両用内装部材に関して、図１（ａ）および（ｂ）に示すように、表皮１１の裏側Ａに、発泡層１３と、エアバッグ２１を収容するための基材１５であって、エアバッグ２１の展開力が発生した場合に開口するエアバッグドア１８に沿って、薄肉部１９が設けられた基材１５と、を備えた積層体として構成することが好ましい。
この理由は、表皮の裏側の発泡層によって、優れた立体装飾性や手触り性が得られるばかりか、エアバッグの展開力が発生した場合には、発泡層が比較的柔らかいために、発泡層を介して、表皮が容易に破断して、エアバッグドアを確実に開くことができるためである。また、このようにエアバッグを収容するとともに、エアバッグドアに沿って薄肉部が設けられた特定の基材を備えることにより、エアバッグの収容性が向上するとともに、エアバッグの展開力が発生した場合に、エアバッグドアをさらに確実に開くことができるためである。
２．破断予定線
（１）配置および形態
破断予定線の配置（形成位置）に関して、図１（ａ）および（ｂ）に示すように、表皮１１の裏面Ａに設けることを特徴とする。すなわち、破断予定線１７が表皮１１の表面に位置しないことにより、エアバッグドア部を有する車両用内装部材１０における所定のインビジブル性を確保するためである。
また、破断予定線の形態に関して、図６（ａ）に示すように、表皮１１を裏面Ａが凸状になるように湾曲させた場合に、実質的にＶ溝状になることを特徴とする。
すなわち、一時的であっても、湾曲によってＶ溝状にできるため、光学式の膜厚測定装置によって、破断予定線の深さを容易かつ精度良く測定するためである。
また、破断予定線の形態に関して、図６（ｂ）に示すように、表皮１１を平坦化した場合には、破断予定線１７を含む表皮１１の裏面Ａが、実質的に平坦となることが好ましい。
この理由は、表皮の裏面が、通常の使用状態であれば、破断予定線に起因した凹凸が生じることなく、実質的に平坦であることから、発泡層や基材を積層した場合であっても、積層工程が容易になるばかりか、表皮の裏面と、発泡層や基材との間で、優れた密着力を得ることができる。
なお、表皮の裏面における平坦性の目安として、例えば、指触試験を実施して、凹凸が感じられない程度であることが好ましい。
（２）形状
また、破断予定線の形状（パターン）に関して、一つ以上の直線およびそれに垂直方向または斜め方向に交わる直線または曲線から構成してあることが好ましい。
この理由は、このように構成することにより、破断予定線の形成が容易になるばかりか、エアバッグの展開力が発生した場合に、破断予定線に沿って、エアバッグドアを確実に開くことができるためである。
また、具体的に、直線や曲線を組み合わせて、図７（ａ）に示すように、両端逆矢印状とするか、図７（ｂ）に示すように、全体として、Ｈ文字状とするか、図７（ｃ）に示すように、両端逆アーク状とすることが好ましい。
この理由は、図７（ａ）に示すように両端逆矢印状であれば、一つ以上の水平な直線および斜線のみを利用しているため、再現性良く、かつ容易に破断予定線を形成することができるとともに、エアバッグの展開力が発生した場合に、破断予定線に沿って、エアバッグドアをより確実に開くことができるためである。また、図７（ｂ）に示すようにＨ文字状であれば、一つの水平な直線およびそれに垂直方向に交わる直線のみを利用しているため、再現性良く、かつ容易に破断予定線を形成することができるとともに、破断予定線に沿って、エアバッグドアを確実に開くことができるためである。さらに、図７（ｃ）に示すように両端逆アーク状であれば、一つの水平な直線および二つの半円弧曲線からなる破断予定線に沿って、エアバッグドアをさらに確実に開くことができるためである。
なお、図７（ａ）〜（ｃ）に示すような破断予定線の形状（パターン）とするには、図８（ａ）〜（ｃ）に示すようなパターン化された突起物を用いることが好ましい。
（３）深さ
また、破断予定線の深さは、エアバッグドアの開閉性やインビジブル性のバランス、あるいは機械的強度等を考慮して定めることが好ましいが、例えば、０．１〜１ｍｍの範囲内の値とすることが好ましい。
この理由は、かかる破断予定線の深さが、０．１ｍｍ未満の値になると、エアバッグドアの開閉性が著しく低下する場合があるためである。一方、かかる破断予定線の深さが、１ｍｍよりも大きくなると、インビジブル性が低下したり、表皮の機械的強度が著しく低下したりする場合があるためである。
したがって、破断予定線の深さを０．２〜０．８ｍｍの範囲内の値とすることがより好ましく、０．３〜０．７ｍｍの範囲内の値とすることがさらに好ましい。
また、破断予定線の深さに関して、表皮の厚みを考慮して定めることも好ましい。すなわち、表皮の厚みをｔ１（ｍｍ）とし、破断予定線の深さをｔ２（ｍｍ）としたときに、ｔ１×０．３＜ｔ２＜ｔ１×０．７の関係を満足することが好ましい。
この理由は、破断予定線の深さｔ２の値が、ｔ１×０．３よりも小さくなると、エアバッグドアの開閉性が著しく低下する場合があるためである。一方、破断予定線の深さｔ２の値が、ｔ１×０．７よりも大きくなると、インビジブル性が低下したり、表皮の機械的強度が著しく低下したりする場合があるためである。
したがって、破断予定線の深さに関して、ｔ１×０、４＜ｔ２＜ｔ１×０．６の関係を満足することがさらに好ましい。
（４）幅
また、破断予定線の幅は、図６（ａ）に示すように、表皮１１の裏面Ａが凸状になるように湾曲させた場合には、実質的にＶ溝状になるような値であって、図６（ｂ）に示すように、表皮１１を平坦化した場合には、破断予定線１７を含む表皮１１の裏面Ａが、実質的に平坦となるような値であることが好ましい。
したがって、かかる破断予定線の幅を、例えば、０．００５〜０、２ｍｍの範囲内の値とすることが好ましく、０．０１〜０．１ｍｍの範囲内の値とすることがより好ましく、０．０２〜０．０８ｍｍの範囲内の値とすることがさらに好ましい。
［第２の実施形態］
第２の実施形態は、図９（ａ）〜（ｆ）に例示するように、成形加工された表皮１１を備えたエアバッグドア部を有する車両用内装部材の製造方法であって、下記工程（Ａ）〜（Ｃ）を順次に含むことを特徴とするエアバッグドア部を有する車両用内装部材の製造方法である。
（Ａ）表皮１１を、支持台３１上に、実質的に平らに載置する工程
（Ｂ）加工刃３５によって、表皮１１の表面まで至らない深さを有する破断予定線１７を形成する工程
（Ｃ）破断予定線１７の切り口を開いた状態で、当該破断予定線の深さまたは残部の厚さを測定する工程
なお、第２の実施形態において使用するエアバッグドア部を有する車両用内装部材の製造装置は、後述する第４の実施形態で説明するものと同様の製造装置であるため、ここでの説明を省略する。
１．準備工程
第２の実施形態にかかる工程（Ａ）を実施するに先立ち、エアバッグドア部を有する車両用内装部材における表皮を準備することが好ましい。すなわち、これらの表皮は、第１の実施形態で説明したものと同様とすることができるため、ここでの説明は省略する。
２．工程（Ａ）
第２の実施形態にかかる工程（Ａ）は、図９（ａ）および（ｂ）に示すように、成形加工された表皮１１を、支持台３１上に、実質的に平らに載置する工程である。
例えば、図９（ａ）に示すように、実質的に平坦化されているとともに、上下動式の所定高さを有する突起物３３を備えた支持台３１を準備した後、図９（ｂ）に示すように、表皮１１の表面Ｂを下方に向けて、すなわち、表皮１１の裏面Ａを上方に向けて、突起物３３を備えた支持台３１上に載置することが好ましい。
また、表皮を載置した後、表皮の表面側から、吸引孔を介して、真空ポンプ等を用いて吸引することが好ましい。この理由は、表皮をこのように吸引することにより、複雑な形状の表皮や大型の表皮であっても、所望の位置に仮固定することができるためである。また、表皮をこのように吸引することにより、破断予定線を形成する際に、表皮がずれてしまい、破断予定線の形成精度が低下することを有効に防止することができるためである。さらに、機械的固定法と異なり、表皮に対する吸引を止めることにより、表皮を速やかに移動させることも可能になるためである。
また、表皮１１の固定方法として、図１０に示すように、表皮の裏面側にカバー材６５を用いることも好ましい。
この理由は、このように実施することにより、表皮に破断予定線を形成する際に、所定場所以外を切断するおそれが少なくなり、表皮に破断予定線を形成する工程を精度良くかつ、迅速に実施することができる。
なお、カバー材は、金属等から成形してあり、所定箇所に開口部を備えていることが好ましい。
３．工程（Ｂ）
第２の実施形態にかかる工程（Ｂ）は、図９（ｃ）に示すように、表皮１１の裏面Ａに、加工刃３５によって、表面まで至らない深さの破断予定線１７を形成する工程である。ここで、加工刃としては、インビジブル性に優れたエアバッグドア部を有する車両用内装部材を得られるとともに、安価であることから、カッターまたはカミソリ等を使用することが好ましい。
ただし、本発明の製造方法によれば、表皮を変形させた状態で切断することから、加熱切断治具を使用しても、比較的精度良く、かつ平坦に形成することができることから、レーザーカッター、高周波カッター、超音波カッター、加熱刃等の加熱切断治具を単独使用するか、あるいは非加熱切断治具とともに併用することも好ましい。
また、工程（Ｂ）の実施前および実施後、あるいはどちらか一方において、加工刃の状態を検査することが好ましい。
この理由は、破断予定線の形成前に加工刃の状態を検査することにより、表皮に形成する破断予定線の深さまたは残部の厚さを、より正確に制御することができるためである。また、破断予定線の形成後に加工刃の状態を検査することにより、刃先に損傷が検知された場合には、装置の動作を停止して、刃を交換することができるためである。
また、工程（Ｂ）において、加工刃を使用して破断予定線を形成する場合には、かかる加工刃の温度管理をすることが好ましい。すなわち、加工刃の温度が使用中に過度に上昇する場合があるが、そうなると、破断予定線を精度良くかつ迅速に形成することが困難になる場合があるためである。
したがって、加工刃の温度を０〜５０℃の範囲内の値とすることが好ましく、１０〜４０℃の範囲内の値とすることがより好ましく、２０〜３５℃の範囲内の値とすることがさらに好ましい。
なお、かかる加工刃の温度は、熱伝体等を用いて直接的にモニターすることも好ましいが、赤外線温度計等を用いて、非接触状態で測定することも好ましい。
４．工程（Ｃ）
第２の実施形態にかかる工程（Ｃ）は、図９（ｅ）および（ｆ）に示すように、表皮１１の裏面Ａにおける破断予定線１７を実質的に頂点として、表皮１１を変形させ、かかる破断予定線１７の切り口を開いた状態に保持したままで、破断予定線１７の深さまたは残部の厚さを測定する工程である。
例えば、図９（ｅ）に示すように、支持台３１上の表皮１１の表面Ｂ側（破断予定線の背面側）から、破断予定線１７が形成された部分に対して、上下動式の突起物３３を押圧し、表皮１１に形成された破断予定線１７の切り口を開くとともに、図９（ｆ）に示すように、膜厚測定装置３９によって、破断予定線１７の深さまたは残部の厚さを測定する工程である。
すなわち、このように破断予定線の切り口を開いた状態で、破断予定線の深さ等を測定することにより、車両用内装部材のインビジブル性を向上させるべく、破断予定線の幅を狭くしたり、深さを短くしたりした場合であっても、破断予定線の深さまたは残部の厚さを、容易かつ確実に測定することができるためである。
なお、図１１および図１２に、破断予定線の深さ等を測定する測定システムとしての一例（レーザ光による測定システム）を示す。
また、破断予定線の深さまたは残部の厚さの測定方法に関して、少なくとも２箇所以上で測定することが好ましく、３箇所以上で測定することがより好ましい。この理由は、このように複数箇所で膜厚を測定することにより、成形加工された表皮の厚さが多少不均一な場合であっても、平均化した数値が得られるためである。したがって、全体的に均一な膜厚の破断予定線を形成することができ、そのため、エアバッグの展開力が発生した場合に、破断予定線に沿って、エアバッグドアを確実に開くことができる。
なお、表皮に破断予定線を形成する前段階においても、成形加工された表皮の厚さを測定しておくことが好ましい。この理由は、このように破断予定線を形成する前後の膜厚を測定しておくことにより、全体的にさらに均一な膜厚の破断予定線を形成することができ、エアバッグの展開力が発生した場合に、破断予定線に沿って、エアバッグドアをさらに確実に開くことができるためである。
［第３の実施形態］
第３の実施形態は、図１３（ａ）〜（ｆ）に例示するように、成形加工された表皮１１を備えたエアバッグドア部を有する車両用内装部材１０の製造方法であって、下記工程（ａ）〜（ｃ）を含むことを特徴とするエアバッグドア部を有する車両用内装部材の製造方法である。
（ａ）表皮１１の裏面Ａが凸状になるように部分的または全体的に湾曲させる工程
（ｂ）加工刃３５によって、表面まで至らない深さの破断予定線１７を形成する工程
（ｃ）破断予定線１７の切り口を開いた状態で、当該破断予定線１７の深さまたは残部の厚さを測定する工程
なお、第３の実施形態における製造方法は、表皮の裏面が凸状になるように湾曲させた状態で、破断予定線を形成する点以外は第２の実施形態と、実質的に同様の内容とすることができるため、ここでは工程（ａ）を中心に説明する。
１．準備工程
工程（ａ）を実施するに先立ち、第２の実施形態と同様に、エアバッグドア部を有する車両用内装部材における表皮を準備することが好ましい。
２．工程（ａ）
第３の実施形態にかかる工程（ａ）は、表皮の裏面における破断予定線の形成箇所を実質的に頂点として表皮を変形させ、かかる表皮が凸状になるように、部分的または全体的に湾曲させる工程である。
すなわち、このように実施することにより、凸状になるように湾曲させた場合にＶ溝状になる破断予定線を容易に形成することができ、かつ、光学式の膜厚測定装置によってその深さを容易かつ精度良く測定することができる。
（１）湾曲方法１
ここで、工程（ａ）における湾曲方法は特に制限されるものではないが、例えば、図１３（ａ）に示すように、上下動式の突起物３３を備えた支持台３１を準備した後、図１３（ｂ）に示すように、表皮１１の表面Ｂを下方に向けて、すなわち表皮１１の裏面Ａを上方に向けて支持台上に載置することが好ましい。
次いで、図１３（ｃ）に示すように、支持台３１上の表皮１１の表面Ｂ側（破断予定線の背面側）から、破断予定線１７の形成箇所２７に対して、上下動式の突起物３３を押圧し、表皮１１の所定箇所のみを湾曲させることが好ましい。
この理由は、このように実施することにより、上下動式の突起物によって、表皮の厚さや材質にかかわらず、任意箇所の表皮を、任意程度だけ湾曲させることができ、態様が異なる複数の破断予定線を容易かつ精度良く形成することができるためである。
（２）湾曲方法２
また、工程（ａ）における湾曲方法として、図１４（ａ）に示すように、固定式であって、所定高さを有する突起物３３を備える支持台３１を使用することも好ましい。すなわち、かかる支持台３１を準備した後、図１４（ｂ）に示すように、表皮１１の表面Ｂを下方に向けて、より具体的には、表皮１１の裏面Ａを上方に向けて、所定高さの突起物３３を備える支持台３１上に載置し、表皮１１の所定箇所を、所定量だけ精度良く湾曲させることが好ましい。
この理由は、このように実施することにより、大量の表皮に対して破断予定線を形成する場合であっても、迅速に、所定程度湾曲させることができ、破断予定線を容易かつ精度良く形成することができるためである。また、突起物の高さを変えることにより、簡易な製造装置であっても、態様が異なる複数の破断予定線を容易に形成することができるためである。
（３）湾曲方法３
なお、工程（ａ）を実施するに際して、第２の実施形態において説明したのと同様に、表皮を載置した後、表皮の表面側から、吸引孔を介して、真空ポンプ等を用いて吸引したり、あるいは、表皮の裏面側にカバー材を用いたりして表皮を固定することが好ましい。
３．工程（ｂ）および（ｃ）
工程（ａ）を実施した後、第２の実施形態に準じて、破断予定線を形成し、次いで、当該破断予定線の切り口をＶ字状に開いた状態で、破断予定線の深さまたは残部の厚さを測定することが好ましい。
［第４の実施形態］
第４の実施形態は、図１５に例示するように、成形加工された表皮を備えたエアバッグドア部を有する車両用内装部材の製造装置３０であって、表皮を実質的に平らに載置するための支持台３１と、表皮に破断予定線を形成するための加工刃３５と、破断予定線の深さまたは残部の厚さを測定するための測定手段３９とを備えるとともに、破断予定線の切り口を開いた状態で、当該測定手段３９により、当該破断予定線の深さまたは残部の厚さを測定することを特徴とするエアバッグドア部を有する車両用内装部材の製造装置３０である。
なお、第４の実施形態におけるエアバッグドア部を有する車両用内装部材および破断予定線は、第１の実施形態で説明したものと同様とすることができるので、ここでの説明を省略する。
１．支持台
（１）基本的構成
支持台の基本的構成としては、エアバッグドア部を有する車両用内装部材の表皮を、実質的に平らに載置できる構成であれば特に制限されるものではないが、例えば、図１５や図９（ａ）に示すように、上面が、実質的に平坦化されているとともに、水平方向に保持された構成であることが好ましい。そして、後述する突起物３３が上下動可能なように、支持台３１は、突起物３３の形状に対応した開口部５５を備えていることが好ましい。
（２）突起物
▲１▼構成
また、図１５や図９（ｅ）等に示すように、支持台３１に、突起物３３を備えることが好ましい。
この理由は、支持台上の表皮の下方、すなわち、背面（表皮の表面）側から突起物を押し付けて、破断予定線の切り口を確実に開かせることにより、破断予定線の深さまたは残部の厚さを容易かつ精度良く測定することができるためである。
また、かかる突起物は、設計や製造が簡略であることから、図８（ａ）〜（ｃ）に示すように、全体として一つの構造物となる構成が好ましい。ただし、図１６（ａ）〜（ｃ）に示すように、突起物の形状に応じて、複数の独立した構成品（直線状物や曲線状物）からなり、全体として分割可能な突起物３３ａであることも好ましい。この理由は、このように突起物が分割可能であれば、突起物の一部を上下動させて、破断予定線の深さ又は残部の厚さを測定する部分のみを選択的に開口させることができるためである。したがって、破断予定線の形状や大きさに対応して、深さ等をより精度良く測定することができる。
▲２▼全体形状１
また、突起物のパターン形状に関して、一つ以上の直線状物、およびその直線状物に対して、垂直方向または斜め方向に交わる直線状物または曲線状物から構成してあることが好ましい。具体的には、表皮に形成する破断予定線の形状（パターン）に合わせた形状であることが好ましい。例えば、表皮に形成する破断予定線の形状が、図７（ａ）〜（ｃ）に示すような形状（パターン）である場合には、支持台における突起物のパターン形状を、図８（ａ）〜（ｃ）に示すようにパターン化することが好ましい。
この理由は、このように構成することにより、表皮に形成される破断予定線の形状が複雑な場合であっても、破断予定線の切り口を確実に開かせることができるためである。
▲３▼形状２
また、突起物の垂直断面形状に関しては特に制限されるものではなく、表皮に形成された破断予定線を、背面側から押圧した場合に、破断予定線の切り口が開くような突起物であることが好ましい。例えば、図１７（ａ）〜（ｆ）にそれぞれ示すように、垂直断面が、直方形、台形、先端に曲面を有する円柱断面、正方形、針状断面、半円等の形状とすることが好ましい。また、図１８（ａ）〜（ｆ）に示すように、突起物３３の上面の全部または一部に、平坦部３８または凹部３７を設けることも好ましい。
▲４▼所定高さ
また、上昇させる突起物の所定高さについても特に制限されるものではないが、例えば、かかる突起物の所定高さを、支持台の表面から０．１〜１０ｍｍの範囲内の値とすることが好ましい。この理由は、かかる突起物の所定高さが０．０１ｍｍ未満の値になると、表皮の破断予定線の切り口を十分に開かせることができなくなって、光学装置による測定性が低下する場合があるためである。一方、かかる突起物の所定高さが１０ｍｍを越えると、インビジブル性が低下したり、表皮の機械的強度が著しく低下したりする場合があるためである。
したがって、突起物の所定高さを、支持台の表面から０．２〜７ｍｍの範囲内の値とすることが好ましく、０．３〜５ｍｍの範囲内の値とすることがさらに好ましい。
▲５▼動作
また、突起物の動作に関して、破断予定線１７を形成する前、あるいは、形成した後に、部分的または全体的に上下動することが好ましい。例えば、図９に例示するように、表皮１１を支持台３１に平坦に載置し、例えば、吸引して固定した後、表皮１１が平らな状態で破断予定線１７を形成し、次いで、支持台３１に設けられた開口部５５を介して、上下動式の突起物３３を上昇させ、表皮１１に形成された破断予定線１７の切り口を開くことができる構成であることが好ましい。
この理由は、突起物３３は、破断予定線１７を形成する際には、支持台３１の表面よりも低い位置に下降しており、したがって、表皮１１の表面が平坦であることから、破断予定線の形成が迅速かつ正確になるためである。一方、破断予定線１７を形成した後には、突起物３３は、支持台３１の表面よりも高い所定位置に上昇し、表皮の破断予定線の切り口を十分に開かせることができるためである。
なお、突起物が、部分的または全体的に上下動することから、破断予定線が一つ以上の直線物等からなる場合であっても、測定する部分の破断予定線の切り口を任意に開かせることができる。
（３）吸引部
また、支持台３１には、図１５に示すように、吸引部として、真空ポンプ等の吸引装置（図示せず。）に接続された複数の小孔からなる吸引孔２３を備えることが好ましい。
この理由は、このように構成することにより、複雑な形状の表皮や大型の表皮であっても、吸引して、所望の位置に仮固定することができるためである。したがって、破断予定線を形成する際の表皮ずれを有効に防止し、精度良く破断予定線を形成することができる。さらに、機械的固定法と異なり、表皮に対する吸引を止めることにより、表皮を速やかに移動させることも可能になる。
４．加工刃
加工刃の種類は特に制限されるものではないが、例えば、レーザーカッター、高周波カッター、超音波カッター、加熱刃等の加熱切断治具や、カッター、カミソリ、回転刃、鋸刃、水流、糸鋸切り等の非加熱切断治具を、単独使用するか、あるいは併用することが好ましい。
ただし、表皮を平坦化した状態において、破断予定線を含む表面（表皮の裏面）が実質的に平坦となり、インビジブル性に優れたエアバッグドア部を有する車両用内装部材を得られるとともに、安価であることから、カッターまたはカミソリを使用することがより好ましい。
５．測定手段
測定手段は、図９（ｆ）に示すように、加工刃により形成された破断予定線１７の切り口を開いた状態で、破断予定線１７の深さまたは残部の厚さを測定するための手段であって、かかる測定値をもとに、破断予定線の残部の厚さが所定範囲内になるように調整することができる。
ここで、かかる測定手段の態様は特に制限されるものではないが、例えば、光学式の膜厚測定装置や、超音波式の膜厚測定装置等を使用することができる。ただし、より正確に測定することができるとともに、省スペース化を図ることができることから、光学式の膜厚測定装置を使用することが好ましい。
６．位置検知手段
また、加工刃の高さ位置を検知するための位置検知手段を備えることが好ましい。
この理由は、かかる位置検知手段により、加工刃の高さ位置を適宜検知して、表皮との間の距離を所定値に常に調整することができるためである。したがって、かかる位置検知手段を備えることにより、表皮の厚さ等が変化した場合であっても、深さまたは残部の厚さが全体的に均一である破断予定線を精度良くかつ迅速に形成することができる。
なお、破断予定線形成前あるいは形成時における加工刃の高さ位置は、図１９（ａ）に示すように、加工刃３５の刃先３５ａに対して、高さ方向に所定距離（ｈ２）だけ離して設けてある位置検知手段３２、例えばレーザ方式の位置検知手段３２によって検知することにより、調整することができる。すなわち、位置検知手段３２と、支持台３１の表面との距離を連続的に測定し、当該距離（ｈ１）を常に一定にするようにして、加工刃３５の高さ位置を間接的に調整することができる。
したがって、加工刃３５の刃先３５ａの位置を、支持台３１の表面から常に所定距離（ｈ３）だけ離れた位置となるように、位置検知手段３２に連結した加工刃の保持部３６を移動させることにより、表皮１１の厚さ等にかかわらず、深さまたは残部の厚さが全体的に均一である破断予定線を精度良くかつ迅速に形成することができる。
７．状態検知手段
また、加工刃の状態を検知するための状態検知手段を備えることが好ましい。具体的には、破断予定線形成前に、加工刃における刃先の状態が良好であることを確認できる構成であることが好ましい。
この理由は、状態検知手段を備えることにより、加工刃による切断具合を常に一定状態に保持することができ、表皮の種類や厚さ等が変化した場合であっても、深さまたは残部の厚さが全体的に均一である破断予定線を、精度良くかつ迅速に形成することができるためである。
また、加工刃における刃先の状態を測定し、磨耗等により損傷している状態が検知された場合には、装置の稼動を停止するとともに、加工刃を交換することができるためである。したがって、常に深さまたは残部の厚さが均一である破断予定線を有する車両用内装部材を得ることができる。
ここで、加工刃における刃先の状態については、図１９（ｂ）に示すように、保持部３６を、破断予定線の形成前と同様の位置ｈ１に戻した状態における、刃先３５ａ′の位置（ｈ３）と、もとの刃先の位置（ｈ２）との差異や、陰影の形状差を、レーザ測定装置や赤外線測定装置等を用いて測定することにより、磨耗等による損傷度合いを検知することができる。
【実施例】
【実施例１】  熱可塑性ウレタンエラストマー（ＴＰＵ）からなる、深さ０．１ｍｍのしぼ加工が施された所定形状の表皮（縦：３００ｍｍ×横：４５０ｍｍ×厚さ：１．０ｍｍ）を成形した。次いで、図１７（ｂ）に示すように、上下動させて、支持台（鉄板）の表面から突出可能な突起物（台形状物）を備えるとともに、複数の吸引孔を有する支持台を準備した。その支持台に上に、表皮を載置し、真空装置により吸引状態とした。
次いで、表皮の表面が平坦化された状態であることを確認した後、加工刃としてのカッター（表面温度：２５℃）により、表皮の表面までは至らない薄肉部としての破断予定線（予定深さ０．５ｍｍ、予定幅０．０１ｍｍ）を形成した。
次いで、表皮の表面側（破断予定線の背面側）から突起物を押圧して、破断予定線の切り口を開いた状態に保持したまま、破断予定線の残部の膜厚を、レーザ方式の膜厚測定装置として、レーザ変位計ＬＣ（キーエンス社製）を用いて測定した。なお、図２０（ａ）は、測定によって得られた、実施例１における破断予定線を含む表皮の断面図を示しており、破断予定線の切り口が、Ｖ字状に開いていることが理解できる。
次いで、表皮の裏面に、図１（ｂ）に示すようなウレタン樹脂からなる厚さ２ｍｍの発泡層およびエアバッグを収容したポリプロピレン基材を積層して、実施例１のエアバッグドア部を有する車両用内装部材とし、以下の評価を実施した。
（１）開口性
支持台の表面から突起物を０．５ｍｍ突出させることにより、破断予定線を形成した状態の表皮を、下方から押圧して、破断予定線の切り口を開いた。次いで、その断面形状を顕微鏡観察し、以下の基準に従って、破断予定線の切り口（断面）の開口性を評価した。
◎：切り口が左右均等のＶ溝状であって、開口幅が十分広い。
○：切り口が、ほぼ左右均等のＶ溝状であって、開口幅が比較的広い。
△：切り口が、実質的に左右均等のＶ溝状であるが、開口幅が比較的狭い。
×：切り口が不定形であって、ほとんど開口されない。
（２）インビジブル性
破断予定線を形成した状態の表皮の裏面に、光源として、１００Ｗ白色電球を配置した。次いで、光源を点灯させた状態で、表皮の表面側から目視で観察し、以下の基準に従って、破断予定線のインビジブル性（非視認性）を評価した。
◎：破断予定線が表面側から全く認識されない。
○：破断予定線が表面側からほとんど認識されない。
△：破断予定線が表面側から一部認識される。
×：破断予定線が表面側から顕著に認識される。
（３）膜厚測定性
支持台の表面から突起物を０．５ｍｍ突出させることにより、破断予定線を形成した状態の表皮を、下方から押圧して、破断予定線の切り口を開いた。次いで、前述のレーザ方式の膜厚測定装置を用いて、かかる破断予定線における残部の厚さを１０箇所において測定した。
◎：測定値のばらつきが５％以下である。
○：測定値のばらつきが１０％以下である。
△：測定値のばらつきが２０％以下である。
×：測定値のばらつきが２０％超である。
（４）エアバッグによる展開性
収容したエアバッグを展開させて、その様子を目視観察し、以下の基準に従って、エアバッグによる車両用内装部材の展開性を評価した。
◎：破断予定線に完全に沿って展開した。
○：破断予定線にほぼ完全に沿って展開した。
△：破断予定線に沿って一部展開した。
×：破断予定線に沿って展開しなかった。
【実施例２】  実施例２においては、支持台の表面から突起物を１ｍｍ突出させたほかは、実施例１と同様に、表皮に破断予定線（予定深さ０．５ｍｍ、予定幅０．０１ｍｍ）を形成した後、裏面側に発泡層およびエアバッグを収容したポリプロピレン基材を積層して、実施例２のエアバッグドア部を有する車両用内装部材とした。次いで、破断予定線を形成した表皮およびエアバッグドア部を有する車両用内装部材について、実施例１と同様の評価を実施した。
【実施例３】  実施例３においては、支持台の表面から突起物を２ｍｍ突出させたほかは、実施例１と同様に、実施例１と同様に、表皮に破断予定線（予定深さ０．５ｍｍ、予定幅０．０１ｍｍ）を形成した後、裏面側に発泡層およびエアバッグを収容したポリプロピレン基材を積層して、実施例３のエアバッグドア部を有する車両用内装部材とした。次いで、破断予定線を形成した表皮およびエアバッグドア部を有する車両用内装部材について、実施例１と同様の評価を実施した。
【実施例４】  実施例４においては、表皮に破断予定線を形成する際に、図１４（ｃ）に示すように、支持台の表面から突起物を０．５ｍｍ突出させ、表皮の裏面が凸状になるように湾曲させた状態で、破断予定線（予定深さ０．５ｍｍ、予定幅０．０１ｍｍ）を形成したほかは、実施例１と同様に、裏面側に発泡層およびエアバッグを収容したポリプロピレン基材を積層して、実施例４のエアバッグドア部を有する車両用内装部材とした。次いで、破断予定線を形成した表皮およびエアバッグドア部を有する車両用内装部材について、実施例１と同様の評価をした。
［比較例１］
比較例１においては、実施例１と同様に、表皮に破断予定線（予定深さ０．５ｍｍ、予定幅０．０１ｍｍ）を形成した後、突起物によって下方から押圧しない状態で膜厚を測定した以外は、実施例１と同様に評価した。すなわち、図９（ａ）〜（ｄ）に示すように、表皮に破断予定線を形成した後、裏面側に発泡層およびエアバッグを収容したポリプロピレン基材を積層して、比較例１のエアバッグドア部を有する車両用内装部材とした。次いで、破断予定線を形成した表皮およびエアバッグドア部を有する車両用内装部材について、突起物によって下方から押圧しない状態、すなわち、表皮が平坦な状態で実施例１と同様の評価を実施した。
なお、図２０（ｂ）に、膜厚測定によって得られた、破断予定線を含む表皮の断面図を示すが、破断予定線の切り口が開いていないため、破断予定線の残部の厚さの測定が困難であることが理解できる。
［比較例２］
比較例２においては、実施例１における加工刃（カッター）のかわりに、１５０℃に加熱した加熱刃を用いるとともに、突起物により押圧せず表皮が平坦な状態で膜厚を測定したほかは、実施例１と同様に、表皮に破断予定線（予定深さ０．５ｍｍ、予定幅０．０１ｍｍ）を形成した後、裏面側に発泡層およびエアバッグを収容したポリプロピレン基材を積層して、比較例２のエアバッグドア部を有する車両用内装部材とした。次いで、破断予定線を形成した表皮およびエアバッグドア部を有する車両用内装部材について、実施例１と同様の評価を実施した。
なお、図２０（ｃ）に、膜厚測定によって得られた、破断予定線を含む表皮の断面図を示すが、加熱刃を用いているために表皮が溶融して、破断予定線の周辺に凹凸を生じていることが理解できる。
［比較例３］
比較例３においては、実施例１における加工刃（カッター）のかわりに、超音波振動カッターを用いるとともに、突起物により押圧せず、表皮が平坦な状態で膜厚を測定したほかは、実施例１と同様に、表皮に破断予定線（予定深さ０．５ｍｍ、予定幅０．０１ｍｍ）を形成した後、裏面側に発泡層およびエアバッグを収容したポリプロピレン基材を積層して、比較例２のエアバッグドア部を有する車両用内装部材とした。次いで、破断予定線を形成した表皮およびエアバッグドア部を有する車両用内装部材について、実施例１と同様の評価を実施した。
2004045921.tif 000003
【産業上の利用可能性】  本発明のエアバッグドア部を有する車両用内装部材によれば、熱硬化性樹脂または熱可塑性樹脂からなる表皮の裏面であって、車両エアバッグを配置する相当部分に、深さが表皮の表面まで至らず、表皮の裏面が凸状になるように湾曲させた場合に、実質的にＶ溝状になる破断予定線を形成することにより、光学式の膜厚測定装置による破断予定線の深さの測定が容易であるとともに、インビジブル性に優れたエアバッグドア部を有する車両用内装部材を提供できるようになった。
また、本発明のエアバッグドア部を有する車両用内装部材の製造方法によれば、車両エアバッグを配置する相当部分に、光学式の膜厚測定装置による破断予定線の深さの測定が容易であるとともに、所定の深さに正確に制御された破断予定線を有するエアバッグドア部を有する車両用内装部材を効率的に提供することができるようになった。
さらに、本発明のエアバッグドア部を有する車両用内装部材の製造装置によれば、表皮を実質的に平らに載置するための支持台と、表皮に破断予定線を形成するための加工刃と、破断予定線の深さまたは残部の厚さを測定するための測定手段とを備えるとともに、当該測定手段により、破断予定線の切り口を開いた状態で、当該破断予定線の深さまたは残部の厚さを測定することにより、車両エアバッグを配置する相当部分に、所定の深さに正確に制御された破断予定線を有するエアバッグドア部を有する車両用内装部材を提供することができるようになった。
【図１】
2004045921.tif 000004
【図２】
2004045921.tif 000005
【図３】
2004045921.tif 000006
【図４】
2004045921.tif 000007
【図５】
2004045921.tif 000008
【図６】
2004045921.tif 000009
【図７】
2004045921.tif 000010
【図８】
2004045921.tif 000011
【図９】
2004045921.tif 000012
【図１０】
2004045921.tif 000013
【図１１】
2004045921.tif 000014
【図１２】
2004045921.tif 000015
【図１３】
2004045921.tif 000016
【図１４】
2004045921.tif 000017
【図１５】
2004045921.tif 000018
【図１６】
2004045921.tif 000019
【図１７】
2004045921.tif 000020
【図１８】
2004045921.tif 000021
【図１９】
2004045921.tif 000022
【図２０】
2004045921.tif 000023
【図２１】
2004045921.tif 000024
【図２２】
2004045921.tif 000025
【図２３】
2004045921.tif 000026
【図２４】
2004045921.tif 000027
【手続補正書】
【提出日】平成16年2月2日(2004.2.2)
【手続補正００１】
【補正対象書類名】特許請求の範囲
【補正対象項目名】全文
【補正方法】変更
【補正の内容】
【特許請求の範囲】
【請求項１】
成形加工された表皮を備えたエアバッグドア部を有する車両用内装部材において、
当該表皮の裏面であって、車両エアバッグを配置する相当部分に、表皮の表面まで至らない破断予定線を設け、
前記表皮を平坦化した場合には、前記破断予定線を含む表皮の裏面が、実質的に平坦となるとともに、
前記表皮を裏面が凸状になるように湾曲させた場合に、前記破断予定線が、実質的にＶ溝状になることを特徴とするエアバッグドア部を有する車両用内装部材。
【請求項２】
（削除）
【請求項３】
前記破断予定線が、一つ以上の直線およびそれに垂直方向または斜め方向に交わる直線または曲線から構成してあることを特徴とする請求の範囲１に記載のエアバッグドア部を有する車両用内装部材。
【請求項４】
前記表皮の厚みをｔ１（ｍｍ）とし、前記破断予定線の深さをｔ２（ｍｍ）としたときに、ｔ１×０．３＜ｔ２＜ｔ１×０．７の関係を満足することを特徴とする請求の範囲１または３に記載のエアバッグドア部を有する車両用内装部材。
【請求項５】
前記表皮の裏側に、発泡層と、エアバッグを収容する基材と、を備えていることを特徴とする請求の範囲１または３〜４のいずれか一項に記載のエアバッグドア部を有する車両用内装部材。
【請求項６】
前記表皮が、熱硬化性樹脂または熱可塑性樹脂を成形材料としたパウダースラッシュ成形品であることを特徴とする請求の範囲１または３〜５のいずれか一項に記載のエアバッグドア部を有する車両用内装部材。
【請求項７】
成形加工された表皮を備えたエアバッグドア部を有する車両用内装部材の製造方法において、下記工程（Ａ）〜（Ｃ）を順次に含むことを特徴とするエアバッグドア部を有する車両用内装部材の製造方法。
（Ａ）前記表皮を、支持台上に、実質的に平らに載置する工程
（Ｂ）加工刃によって、前記表皮の表面まで至らない深さを有する破断予定線を形成する工程
（Ｃ）前記破断予定線の切り口を開いた状態で、当該破断予定線の深さまたは残部の厚さを測定する工程
【請求項８】
前記表皮を前記支持台の裏側から吸引して、当該支持台に固定することを特徴とする請求の範囲７に記載のエアバッグドア部を有する車両用内装部材の製造方法。
【請求項９】
前記工程（Ｃ）において、前記支持台に備えられた突起物を所定高さまで上昇させて、前記表皮を下方から押圧することにより、前記破断予定線の切り口を開かせることを特徴とする請求の範囲７または８に記載のエアバッグドア部を有する車両用内装部材の製造方法。
【請求項１０】
前記工程（Ｂ）において、前記加工刃の高さ位置を検知しながら、前記破断予定線を形成することを特徴とする請求の範囲７〜９のいずれか一項に記載のエアバッグドア部を有する車両用内装部材の製造方法。
【請求項１１】
前記工程（Ｂ）の前に、前記加工刃の状態を検査する工程を含むことを特徴とする請求の範囲７〜１０のいずれか一項に記載のエアバッグドア部を有する車両用内装部材の製造方法。
【請求項１２】
前記工程（Ｃ）において、光学式の膜厚測定装置によって、前記破断予定線の深さまたは残部の厚さを測定することを特徴とする請求の範囲７〜１１のいずれか一項に記載のエアバッグドア部を有する車両用内装部材の製造方法。
【請求項１３】
成形加工された表皮を備えたエアバッグドア部を有する車両用内装部材の製造方法において、下記工程（ａ）〜（ｃ）を含むことを特徴とするエアバッグドア部を有する車両用内装部材の製造方法。
（ａ）前記表皮を裏面が凸状になるように部分的または全体的に湾曲させる工程
（ｂ）加工刃によって、前記表皮の表面まで至らない深さを有する破断予定線を形成する工程
（ｃ）前記破断予定線の切り口を開いた状態で、当該破断予定線の深さまたは残部の厚さを測定する工程
【請求項１４】
前記工程（ａ）において、前記表皮を裏面が凸状になるように湾曲させるにあたり、当該表皮を支持台上に載置するとともに、当該支持台に備えられた突起物を押圧することを特徴とする請求の範囲１３に記載のエアバッグドア部を有する車両用内装部材の製造方法。
【請求項１５】
前記工程（ａ）において、前記突起物を下方から上下動させて押圧することを特徴とする請求の範囲１３または１４に記載のエアバッグドア部を有する車両用内装部材の製造方法。
【請求項１６】
成形加工された表皮を備えたエアバッグドア部を有する車両用内装部材の製造装置において、
前記表皮を実質的に平らに載置するための支持台と、
前記表皮に破断予定線を形成するための加工刃と、
前記破断予定線の深さまたは残部の厚さを測定するための測定手段と、を備えるとともに、
前記破断予定線の切り口を開いた状態で、前記測定手段により、当該破断予定線の深さまたは残部の厚さを測定することを特徴とするエアバッグドア部を有する車両用内装部材の製造装置。
【請求項１７】
前記支持台は、前記表皮を下方から押圧するための突起物を備えるとともに、当該突起物が所定高さまで上昇して、前記表皮を下方から押圧することを特徴とする請求の範囲１６に記載のエアバッグドア部を有する車両用内装部材の製造装置。
【請求項１８】
前記突起物が、一つ以上の直線状物、および当該直線状物に対して、垂直方向または斜め方向に交わる直線状物または曲線状物から構成してあることを特徴とする請求の範囲１６または１７に記載のエアバッグドア部を有する車両用内装部材の製造装置。
【請求項１９】
前記加工刃の高さ位置を検知するための位置検知手段を備えることを特徴とする請求の範囲１６〜１８のいずれか一項に記載のエアバッグドア部を有する車両用内装部材の製造装置。
【請求項２０】
前記加工刃の状態を検知するための状態検知手段を備えることを特徴とする請求の範囲１６〜１９のいずれか一項に記載のエアバッグドア部を有する車両用内装部材の製造装置。
【請求項２１】
前記支持台に、前記表皮を固定するための吸引部を備えることを特徴とする請求の範囲１６〜２０のいずれか一項に記載のエアバッグドア部を有する車両用内装部材の製造装置。
【手続補正００２】
【補正対象書類名】明細書
【補正対象項目名】０００４
【補正方法】変更
【補正の内容】
【０００４】
装置により測定するためには、比較的幅が大きい溝状の開裂予定部を形成しなければならなかった。
そこで、本発明は、このような問題点に鑑みてなされたものであり、その目的とするところは、車両におけるステアリングや、インストルメントパネル等におけるエアバッグ展開部分を表面側から認識することができず、しかも、破断予定線の深さを光学式の膜厚測定装置によって容易かつ精度良く測定することができるエアバッグドア部を有する車両用内装部材、その製造方法、および製造装置を提供することにある。
発明の開示
［１］  本発明によれば、成形加工された表皮を備えたエアバッグドア部を有する車両用内装部材であって、当該表皮の裏面であって、車両エアバッグを配置する相当部分に、表皮の表面までは至らない破断予定線を設け、表皮を平坦化した場合には、破断予定線を含む表皮の裏面が、実質的に平坦となるとともに、表皮を裏面が凸状になるように湾曲させた場合に、破断予定線が、実質的にＶ溝状になるエアバッグドア部を有する車両用内装部材が提供される。
このように構成することにより、エアバッグドア部を有する車両用内装部材を裏面が凸状になるように湾曲させた場合にのみ、表皮に形成された破断予定線が実質的にＶ溝状になるため、インビジブル性に優れ、かつ、エアバッグの所望の展開力でもって、容易かつ確実に展開可能なエアバッグドア部を有する車両用内装部材を提供することができる。また、このような破断予定線であれば、裏面が凸状になるように湾曲させた場合には実質的にＶ溝状になるため、光学式の膜厚測定装置、例えば、レーザ方式や赤外線方式の膜厚測定装置によって、破断予定線の深さを容易かつ精度良く測定することができる。


【手続補正００３】
【補正対象書類名】明細書
【補正対象項目名】０００９
【補正方法】変更
【補正の内容】
【０００９】
第１の実施形態は、図１（ａ）および（ｂ）に例示するように、成形加工された表皮１１を備えたエアバッグドア部を有する車両用内装部材１０であって、当該表皮１１の裏面Ａであって、車両エアバッグ２１を配置する相当部分１２に、表皮１１の表面Ｂまで至らない深さの破断予定線１７を設け、表皮１１を平坦化した場合には、破断予定線１７を含む表皮１１の裏面Ａが、実質的に平坦となるとともに、表皮１１の裏面が凸状になるように湾曲させた場合に、破断予定線１７が、実質的にＶ溝状になることを特徴とするエアバッグドア部を有する車両用内装部材１０である。
なお、以下の説明において、図１に例示するエアバッグドア部を有する車両用内装部材におけるエアバッグを収容する機能を有する基材および発泡層以外の表面シートを、単に表皮と称する場合があり、あるいは、図１に例示するエアバッグドア部を有する車両用内装部材の全体を指して、単に表皮と称する場合がある。
１．エアバッグドア部を有する車両用内装部材
（１）種類
エアバッグドア部を有する車両用内装部材における成形加工された表皮の種類は特に制限されるものではないが、例えば、成形加工されたシート状物や自動車部品等の成形品の外形に沿った立体物であることが好ましい。そして、成形加工された表皮は、装飾加工されていることが好ましく、例えば、表面にしぼ加工やエンボス模様等の表面凹凸を備えたり、模様、文字、記号等が印刷されたり、あるいは、表面研磨して、平滑性を向上させてあることが好ましい。
また、成形加工された表皮は、熱可塑性樹脂または熱硬化性樹脂から構成してあることが好ましいが、その種類についても特に制限されるものでは無い。ただし、エアバッグドア部を有する車両用内装部材の実際の使用環境を考慮した場合、７０℃以上の比較的高い温度であっても優れた機械的強度を保持するとともに、０℃以下の低温状態であっても、優れたしなやかさや手触り性を保持できることから、熱可塑性ウレタンエラストマー、熱可塑性スチレンエラストマー、熱可塑性ナフタレンエラストマー、熱可塑性オレフィンエラストマー等の熱可塑性エラストマーを使用することがより好ましい。


【手続補正００４】
【補正対象書類名】明細書
【補正対象項目名】００１５
【補正方法】変更
【補正の内容】
【００１５】
第２の実施形態にかかる工程（Ａ）を実施するに先立ち、エアバッグドア部を有する車両用内装部材における表皮を準備することが好ましい。すなわち、これらの表皮は、第１の実施形態で説明したものと同様とすることができるため、ここでの説明は省略する。
２．工程（Ａ）
第２の実施形態にかかる工程（Ａ）は、図９（ａ）および（ｂ）に示すように、成形加工された表皮１１を、支持台３１上に、実質的に平らに載置する工程である。
例えば、図９（ａ）に示すように、実質的に平坦化されているとともに、上下動式の所定高さを有する突起物３３を備えた支持台３１を準備した後、図９（ｂ）に示すように、表皮１１の表面Ｂを下方に向けて、すなわち、表皮１１の裏面Ａを上方に向けて、突起物３３を備えた支持台３１上に載置することが好ましい。
また、表皮を載置した後、表皮の表面側から、すなわち、支持台の裏側から、吸引孔を介して、真空ポンプ等を用いて吸引することが好ましい。この理由は、表皮をこのように吸引することにより、複雑な形状の表皮や大型の表皮であっても、所望の位置に仮固定することができるためである。また、表皮をこのように吸引することにより、破断予定線を形成する際に、表皮がずれてしまい、破断予定線の形成精度が低下することを有効に防止することができるためである。さらに、機械的固定法と異なり、表皮に対する吸引を止めることにより、表皮を速やかに移動させることも可能になるためである。
また、表皮１１の固定方法として、図１０に示すように、表皮の裏面側にカバー材６５を用いることも好ましい。
この理由は、このように実施することにより、表皮に破断予定線を形成する際に、所定場所以外を切断するおそれが少なくなり、表皮に破断予定線を形成する工程を精度良くかつ、迅速に実施することができる。
なお、カバー材は、金属等から成形してあり、所定箇所に開口部を備えていることが好ましい。


【手続補正００５】
【補正対象書類名】明細書
【補正対象項目名】００１９
【補正方法】変更
【補正の内容】
【００１９】
備した後、図１３（ｂ）に示すように、表皮１１の表面Ｂを下方に向けて、すなわち表皮１１の裏面Ａを上方に向けて支持台上に載置することが好ましい。
次いで、図１３（ｃ）に示すように、支持台３１上の表皮１１の表面Ｂ側（破断予定線の背面側）から、破断予定線１７の形成箇所２７に対して、上下動式の突起物３３を押圧し、表皮１１の所定箇所のみを湾曲させることが好ましい。
この理由は、このように実施することにより、上下動式の突起物によって、表皮の厚さや材質にかかわらず、任意箇所の表皮を、任意程度だけ湾曲させることができ、態様が異なる複数の破断予定線を容易かつ精度良く形成することができるためである。
（２）湾曲方法２
また、工程（ａ）における湾曲方法として、図１４（ａ）に示すように、固定式であって、所定高さを有する突起物３３を備える支持台３１を使用することも好ましい。すなわち、かかる支持台３１を準備した後、図１４（ｂ）に示すように、表皮１１の表面Ｂを下方に向けて、より具体的には、表皮１１の裏面Ａを上方に向けて、所定高さの突起物３３を備える支持台３１上に載置し、表皮１１の所定箇所を、所定量だけ精度良く湾曲させることが好ましい。
この理由は、このように実施することにより、大量の表皮に対して破断予定線を形成する場合であっても、迅速に、所定程度湾曲させることができ、破断予定線を容易かつ精度良く形成することができるためである。また、突起物の高さを変えることにより、簡易な製造装置であっても、態様が異なる複数の破断予定線を容易に形成することができるためである。
（３）湾曲方法３
なお、工程（ａ）を実施するに際して、第２の実施形態において説明したのと同様に、表皮を載置した後、表皮の表面側から、すなわち、支持台の裏側から、吸引孔を介して、真空ポンプ等を用いて吸引したり、あるいは、表皮の裏面側にカバー材を用いたりして表皮を固定することが好ましい。




【国際調査報告】
2004045921.tif 000028
2004045921.tif 000029
2004045921.tif 000030
2004045921.tif 000031